(57)【要約】【課題】ワイシャツ等に採用しても外観を損なうことがなく、しかも、携帯電話が不用意に外へ飛び出してしまうことを確実に防止し得るようにした携帯電話用ポケットを提供する。【解決手段】布地を切ってポケット口３を開口し、該ポケット口３に布地の裏側から縦長の収納袋４を縫い付けた切りポケット形式の携帯電話用ポケットに関し、ポケット口３に上方から被さって該ポケット口３を覆う被覆片部５を設けると共に、該被覆片部５の幅方向両側部を縦方向に縫い付けて前記被覆片部５によるポケット口３の被覆状態が維持されるように構成する。【選択図】図１
0003107677.tif 000002
【実用新案登録請求の範囲】
【請求項１】
布地を切ってポケット口を開口し、該ポケット口に布地の裏側から縦長の収納袋を縫い付けた切りポケット形式の携帯電話用ポケットであって、ポケット口に上方から被さって該ポケット口を覆う被覆片部を設けると共に、該被覆片部の幅方向両側部を縦方向に縫い付けて前記被覆片部によるポケット口の被覆状態が維持されるように構成したことを特徴とする携帯電話用ポケット。
【請求項２】
収納袋の適宜な深さ位置に幅方向に横断するようステッチを入れて収納袋を底上げしたことを特徴とする請求項１に記載の携帯電話用ポケット。
【請求項３】
収納袋の適宜な深さ位置で幅方向に横断するステッチの少なくとも幅方向一端側に携帯電話のアンテナを局所的に落とし込むアンテナ収納口を形成したことを特徴とする請求項２に記載の携帯電話用ポケット。
【請求項４】
収納袋の底部に該底部の少なくとも幅方向一端側が携帯電話のアンテナ収納口として局所的に落ち込むように段差部を形成したことを特徴とする請求項１、２又は３に記載の携帯電話用ポケット。
【請求項５】
収納袋の高さをポケット口より高くなるように構成したことを特徴とする請求項１、２、３又は４に記載の携帯電話用ポケット。
【考案の詳細な説明】
【技術分野】
【０００１】
本考案は、ワイシャツ等に採用するのに適した携帯電話用ポケットに関するものである。
【背景技術】
【０００２】
近年において、外出先での通信手段として携帯電話が広く普及してきているが、携帯電話を携帯するのに際し、鞄などに入れて持ち運ぶようにすると、着信音が聞き取りにくくなったり、着信時に迅速な応対ができなくなるといった不便さがあり、ビジネスマンなどのように背広を着用している場合には、上着の内ポケット等に携帯電話を入れて携帯するケースが多い。
【考案の開示】
【考案が解決しようとする課題】
【０００３】
しかしながら、上着は外出途中で脱いだり着たりする機会が多い為、携帯電話を落とし易いという不具合があり、携帯電話を破損したり、気付かないうちに落としてなくしてしまったりする虞れがある。
【０００４】
一方、上着の下に着るワイシャツの胸ポケットは、一般的に略正方形状の別布を張り付けたパッチポケット形式で縫製されており、縦長の携帯電話を収納するには、ポケット幅が広すぎて収まりが悪いという不具合があり、体をかがめるような姿勢をとったり、激しい動きをしたりしただけで簡単に携帯電話が外へ飛び出してしまうことがある。
【０００５】
ただし、ワイシャツであれば、上着のように外出途中で脱いだりする機会が殆どない為、ワイシャツの胸ポケットを構成する別布を携帯電話の形状に合わせて縦長に形成し、携帯電話の収まりを良くすることが考えられるが、携帯電話を収納して縦長に膨らんだポケットがワイシャツの表側に現れてしまうと、ワイシャツの外観が著しく損なわれる結果となり、また、体をかがめるような姿勢をとったり、激しい動きをしたりした際における携帯電話の外への飛び出しが少なくなるとしても、その飛び出しを確実に防止できることにはならない。
【０００６】
本考案は、上述の実情に鑑みてなしたもので、ワイシャツ等に採用しても外観を損なうことがなく、しかも、携帯電話が不用意に外へ飛び出してしまうことを確実に防止し得るようにした携帯電話用ポケットを提供することを目的としている。
【課題を解決するための手段】
【０００７】
本考案は、布地を切ってポケット口を開口し、該ポケット口に布地の裏側から縦長の収納袋を縫い付けた切りポケット形式の携帯電話用ポケットであって、ポケット口に上方から被さって該ポケット口を覆う被覆片部を設けると共に、該被覆片部の幅方向両側部を縦方向に縫い付けて前記被覆片部によるポケット口の被覆状態が維持されるように構成したことを特徴とするものである。
【０００８】
而して、このようにすれば、収納袋が布地の裏側に隠れて外観上は小さなポケット口が増えるだけで済むので、衣服の外観を損なうことがなく、しかも、ポケット口をこじ開けて携帯電話を収納袋内に収納した後は、特別なポケット口の封止操作を行わなくても、自然に被覆片部によるポケット口の被覆状態が維持されることになり、体をかがめるような姿勢をとったり、激しい動きをしたりしても、携帯電話が外へ飛び出してしまうような不具合が起こらなくなる。
【０００９】
また、本考案においては、収納袋の適宜な深さ位置に幅方向に横断するようステッチを入れて収納袋を底上げしておくことが好ましく、このようにした場合に、ステッチの糸を途中で切断して抜き取れば、収納袋の深さを深くして使用することが可能となる。
【００１０】
即ち、携帯電話の高さ寸法は機種ごとに異なっており、携帯電話の機種によってはポケット深さが合わない場合も考えられるので、使用している携帯電話の高さ寸法の大きさに応じて出し入れし易い適切な深さを選択し得るようにしてあるのである。
【００１１】
また、収納袋の適宜な深さ位置で幅方向に横断するステッチの少なくとも幅方向一端側に携帯電話のアンテナを局所的に落とし込むアンテナ収納口を形成しておくと更に良く、このようにすれば、取り出し時にアンテナが被覆片部に引っ掛からないよう携帯電話を逆さに入れた場合でも、下向きに突出するアンテナが収納袋底部のアンテナ収納口に収まることで携帯電話が安定して収納されることになる。
【００１２】
他方、収納袋の適宜な深さ位置で幅方向に横断するステッチが無い場合や、該ステッチを抜き取ることで収納袋の深さを深くして使用している場合には、収納袋の底部に該底部の少なくとも幅方向一端側が携帯電話のアンテナ収納口として局所的に落ち込むように段差部を形成しておくことが好ましい。
【００１３】
このようにすれば、取り出し時にアンテナが被覆片部に引っ掛からないよう携帯電話を逆さに入れた場合でも、下向きに突出するアンテナが収納袋底部のアンテナ収納口に収まることで携帯電話が安定して収納されることになる。
【００１４】
更に、本考案においては、収納袋の高さをポケット口より高くなるように構成しておくことが好ましく、このようにすれば、体をかがめるような姿勢をとったり、激しい動きをしたりした際に携帯電話が収納袋内でポケット口側へ移動してきても、該ポケット口を通り過ぎて収納袋の上端部分に突き当たることになるので、携帯電話がポケット口から外へ飛び出す虞れがより一層少なくなる。
【考案の効果】
【００１５】
上記した本考案の携帯電話用ポケットによれば、下記の如き種々の優れた効果を奏し得る。
【００１６】
（Ｉ）本考案の請求項１に記載の考案によれば、収納袋が布地の裏側に隠れて外観上は小さなポケット口が増えるだけで済むので、ワイシャツ等に採用しても外観を損なうことがなく、しかも、特別なポケット口の封止操作を行わなくても、自然に被覆片部によるポケット口の被覆状態が維持されるようになっているので、体をかがめるような姿勢をとったり、激しい動きをしたりしても、携帯電話が不用意に外へ飛び出してしまう不具合を確実に防止することができる。
【００１７】
（ＩＩ）本考案の請求項２に記載の考案によれば、ステッチの糸を途中で切断して抜き取ることにより収納袋の深さを深くすることができるので、使用している携帯電話の高さ寸法の大きさに応じて出し入れし易い適切な深さを選択することができる。
【００１８】
（ＩＩＩ）本考案の請求項３、４に記載の考案によれば、取り出し時にアンテナが被覆片部に引っ掛からないよう携帯電話を逆さに入れた場合でも、下向きに突出するアンテナを収納袋底部のアンテナ収納口に収めて携帯電話を安定した収納状態に維持することができる。
【００１９】
（ＩＶ）本考案の請求項５に記載の考案によれば、体をかがめるような姿勢をとったり、激しい動きをしたりした際に携帯電話が収納袋内でポケット口側へ移動してきても、該ポケット口を通り過ぎて収納袋の上端部分に突き当たることになるので、携帯電話がポケット口から外へ飛び出す虞れをより一層少なくすることができる。
【考案を実施するための最良の形態】
【００２０】
以下本考案の実施の形態を図示例と共に説明する。
【００２１】
図１〜図９は本考案の携帯電話用ポケットを実施する形態の一例を示すもので、本形態例においては、ワイシャツに適用した場合を例示しており、図１はワイシャツの表側から見た正面図、図２は図１の要部拡大図、図３はワイシャツの裏側から見た背面図、図４は図２のＩＶ−ＩＶ矢視の断面図、図５はポケット口を開口させた状態を示す斜視図、図６は携帯電話を収納している途中の状態を示す斜視図、図７は図６の状態を側方から見た断面図、図８は携帯電話が完全に収納された状態を示す断面図、図９は体をかがめた時の携帯電話の収納状態を示す断面図である。
【００２２】
図１中における符合の１はワイシャツ２の右胸に縫製された携帯電話用ポケットを示し、該携帯電話用ポケット１は、ワイシャツ２の身頃の布地を切ってポケット口３を開口し、該ポケット口３に布地の裏側から縦長の収納袋４を縫い付けた切りポケット形式としてあり、ここに図示している収納袋４では、その高さがポケット口３よりも高くなるように構成してある（図１〜図３参照）。
【００２３】
そして、前記ポケット口３の上端部分においては、このポケット口３に上方から被さって該ポケット口３を覆う被覆片部５が縫着されており、しかも、この被覆片部５の幅方向両側部が縦方向に縫い付けられて前記被覆片部５によるポケット口３の被覆状態が維持されるようにしてある（図２及び図４、図５参照）。
【００２４】
更に、本形態例においては、前記収納袋４の適宜な深さ位置に、収納袋４が底上げされるよう幅方向に横断するステッチ６が入れてあり、このステッチ６は、後で糸を切断して容易に抜き取ることができるよう環縫いで施したものとなっている。
【００２５】
ここで、収納袋４の本来の深さ寸法は、最も高さ寸法の大きな機種の携帯電話７であっても完全に収納できる程度の十分な深さにしておき、収納袋４におけるステッチ６を入れる深さ位置は、高さ寸法の比較的小さな機種の携帯電話７（図６〜図９参照）を取り出し易い深さに底上げして収納できるような位置にしておく。
【００２６】
更に、本形態例においては、このステッチ６の幅方向一端側に、その縫い始めの位置をずらすことによって、携帯電話７のアンテナ７ａ（図６〜図９参照）を局所的に落とし込むアンテナ収納口８として未縫製部分が残されており（ステッチ６をクランク状に屈曲させて段差部を形成することでアンテナ収納口８としても可）、また、収納袋４の底部には、該底部の幅方向一端側が携帯電話７のアンテナ収納口１０として局所的に落ち込むように段差部がステッチ９により形成されている。尚、図中１１は収納袋４内の実質的な収納幅を規定するための縦方向のステッチを示している。
【００２７】
而して、このような携帯電話用ポケット１によれば、収納袋４が布地の裏側に隠れて外観上は小さなポケット口３が増えるだけで済むので、ワイシャツ２の外観を損なうことがなく、しかも、図６及び図７に示す如く、ポケット口３をこじ開けて携帯電話７を収納袋４内に入れ、図８に示す如き完全に収納袋４内に収納させた状態とした後は、特別なポケット口３の封止操作を行わなくても、自然に被覆片部５によるポケット口３の被覆状態が維持されることになり、体をかがめるような姿勢をとったり、激しい動きをしたりしても、携帯電話７が外へ飛び出してしまうような不具合が起こらなくなる。
【００２８】
特に本形態例においては、収納袋４の高さをポケット口３より高くなるように構成しているので、図９に示す如く、体をかがめるような姿勢をとった際に携帯電話７が収納袋４内でポケット口３側へ移動してきても、該ポケット口３を通り過ぎて収納袋４の上端部分に突き当たることになるので、携帯電話７がポケット口３から外へ飛び出す虞れがより一層少なくなる。
【００２９】
従って、上記形態例によれば、収納袋４が布地の裏側に隠れて外観上は小さなポケット口３が増えるだけで済むので、ワイシャツ等に採用しても外観を損なうことがなく、しかも、特別なポケット口３の封止操作を行わなくても、自然に被覆片部５によるポケット口３の被覆状態が維持されるようになっているので、体をかがめるような姿勢をとったり、激しい動きをしたりしても、携帯電話７が不用意に外へ飛び出してしまう不具合を確実に防止することができる。
【００３０】
また、携帯電話７を収納袋４に収納するに際し、後で携帯電話７を取り出す時にアンテナ７ａが被覆片部５に引っ掛からないよう携帯電話７を逆さに入れるケースが想定されるが、このように携帯電話７を逆さに入れた場合でも、下向きに突出するアンテナ７ａをアンテナ収納口８に収めて携帯電話７を安定した収納状態に維持することができる。
【００３１】
更に、特に本形態例では、収納袋４の適宜な深さ位置に幅方向に横断するようステッチ６を入れて収納袋４を底上げしてあるので、ステッチ６の糸を途中で切断して抜き取ることにより収納袋４の深さを深くすることができ、これによって、使用している携帯電話７の高さ寸法の大きさに応じて出し入れし易い適切な深さを選択することができる。
【００３２】
即ち、携帯電話７の高さ寸法は機種ごとに異なっており、携帯電話７の機種によってはポケット深さが合わない場合も考えられるので、使用している携帯電話７の高さ寸法の大きさに応じて出し入れし易い適切な深さを選択し得るようにしてあるのである。
【００３３】
また、このようにステッチ６の糸を抜き取ることで収納袋４の深さを深くした場合においても、前述と同様に、後で携帯電話７を取り出す時にアンテナ７ａが被覆片部５に引っ掛からないよう携帯電話７を逆さに入れるケースが想定されるが、収納袋４の底部にはアンテナ収納口１０が形成されているので、携帯電話７を逆さに入れた場合でも、下向きに突出するアンテナ７ａを収納袋４底部のアンテナ収納口１０に収めて携帯電話７を安定した収納状態に維持することができる。
【００３４】
更に付言しておくと、ここに図示している例では、一般的な携帯電話７の収納形態として、その正面側を外に向けて収納しているケースが多いという事情を考慮し、アンテナ収納口８，１０を前立（ワイシャツ２を前でとじ合わせる部分：ボタン孔の形成部分）側に縫製した場合を例示しているが、この種の携帯電話用ポケット１をワイシャツ２の左胸に縫製した場合には、前立に対し離反する側にアンテナ収納口８，１０を縫製した方が好ましいことは勿論であり、更には、携帯電話７を逆さにして表裏関係な安定収納し得るよう幅方向の両側にアンテナ収納口８，１０を形成しても良い。
【００３５】
尚、本考案の携帯電話用ポケットは、上述の実施の形態にのみ限定されるものではなく、ビジネス用のワイシャツ以外に、休日用のカジュアルシャツやブルゾン等にも適用し得ること、その他、本考案の要旨を逸脱しない範囲内において種々変更を加え得ることは勿論である。
【図面の簡単な説明】
【００３６】
【図１】本考案の実施の形態の一例をワイシャツの表側から見た正面図である。
【図２】図２は図１の要部拡大図である。
【図３】図３は本考案の実施の形態の一例をワイシャツの裏側から見た背面図である。
【図４】図２のＩＶ−ＩＶ矢視の断面図である。
【図５】ポケット口を開口させた状態を示す斜視図である。
【図６】携帯電話を収納している途中の状態を示す斜視図である。
【図７】図６の状態を側方から見た断面図である。
【図８】携帯電話が完全に収納された状態を示す断面図である。
【図９】体をかがめた時の携帯電話の収納状態を示す断面図である。
【符号の説明】
【００３７】
１  携帯電話用ポケット
３  ポケット口
４  収納袋
５  被覆片部
６  ステッチ
７  携帯電話
７ａ  アンテナ
８  アンテナ収納口
１０  アンテナ収納口
【図１】
0003107677.tif 000003
【図２】
0003107677.tif 000004
【図３】
0003107677.tif 000005
【図４】
0003107677.tif 000006
【図５】
0003107677.tif 000007
【図６】
0003107677.tif 000008
【図７】
0003107677.tif 000009
【図８】
0003107677.tif 000010
【図９】
0003107677.tif 000011